(57)【要約】      （修正有）【課題】建造物の屋根に積もった雪を除雪可能な除雪装置を提供する。【解決手段】除雪装置１００は、建造物１室外に設けられ、ガスを発生可能なガス発生部１１と、除雪部１３ａ、１３ｂ、１３ｃのそれぞれとガス発生部１１とを接続し、ガス発生部１１において発生したガスを除雪部１３ａ、１３ｂ、１３ｃに伝達する伝達部１２ａ、１２ｂ、１２ｃと、一端が閉塞され、他端に伝達部１２ａ、１２ｂ、１２ｃが接続されている中空の管であり、途中に噴出口１５ａ、１５ｂ、１５ｃが複数設けられている除雪部１３ａ、１３ｂ、１３ｃと、除雪部に沿って除雪部の上部に設けられ、雪の滑り落ちを止めることができるようになっている雪止め部１４ａ、１４ｂ、１４ｃと、を備えている。【選択図】図２
2017089249.tif 000002
【特許請求の範囲】
【請求項１】
建造物の屋根上に設置された複数の除雪部と、
前記複数の除雪部の動力となるガスを、内部に装填したガス発生剤を燃焼することによって発生可能なガス発生部と、前記複数の除雪部のそれぞれと前記ガス発生部とを接続し、前記ガス発生部において発生したガスを前記複数の除雪部に伝達する伝達部と、
を備えていることを特徴とする除雪装置。
【請求項２】
前記除雪部は、少なくとも１つの一端を有しており、前記一端が開放又は閉塞され、他端に前記伝達部が接続されている中空の管を有しており、
前記管に、前記ガス発生部において発生したガスを噴出する複数の噴出口が設けられていることを特徴とする請求項１に記載の除雪装置。
【請求項３】
前記中空の管の少なくとも一部が、略Ｔ字型状の管であることを特徴とする請求項２に記載の除雪装置。
【請求項４】
前記除雪部は、予め前記屋根上に敷設されたシートを巻き取るシート巻取部を有しており、
前記シート巻取部が、
前記シートを巻取方向へ回転することによって巻き取り可能な巻取軸と、
複数の回転歯が設けられ、所定方向へ回転することで前記巻取軸を巻取方向へ回転させることが可能な回転部材と、
複数の移動歯が設けられ、前記ガス発生部において発生したガスの圧力を利用することによって前記回転部材側へ移動することで、前記移動歯が前記回転歯に噛合されて前記回転部材を所定方向へ回転させる移動部材と、
を有していることを特徴とする請求項１に記載の除雪装置。
【請求項５】
前記除雪部に沿って前記除雪部の上部に設けられ、雪の滑り落ちを止める雪止め部を有していることを特徴とする請求項１〜４のいずれか１項に記載の除雪装置。
【請求項６】
請求項２に記載の前記除雪部の噴出口が、前記雪止め部と反対側の方向且つ前記屋根表面以外の方向にガスを噴出するように設けられていることを特徴とする請求項５に記載の除雪装置。
【請求項７】
前記ガス発生部が、前記ガス発生剤を装填可能なガス発生剤装填室を有しており、前記ガス発生剤装填室における前記ガス発生剤の燃焼後に、他のガス発生剤を再度装填可能なものであることを特徴とする請求項１〜６のいずれか１項に記載の除雪装置。
【請求項８】
前記ガス発生剤装填室が、前記ガス発生剤を装填したカートリッジを装入可能なものであることを特徴とする請求項７に記載の除雪装置。
【請求項９】
請求項１〜８のいずれか１項に記載の除雪装置と、
前記屋根の積雪量を検知可能なセンサ部と、
前記センサ部で得た積雪量の検知情報を受信可能であり、前記検知情報を基に前記ガス発生部に電力を供給し、作動させることが可能な制御部と、
を備えていることを特徴とする除雪システム。
【発明の詳細な説明】
【技術分野】
【０００１】
本発明は、建造物の屋根に積もった雪を除雪可能な除雪装置及び除雪システムに関する。
【背景技術】
【０００２】
下記特許文献１に代表されるように、従来から、建造物の屋根に積もった雪を除雪可能な除雪装置は公知となっている。なお、特許文献１の除雪装置は、屋根表面に桁方向に並行に設置されたエアー吹出ダクトと、該エアー吹出ダクトに接続されて低温風を移送する送風ダクトと、該送風ダクトに接続された送風機と、該送風機から分岐され、屋根裏空間に配管された屋根裏ダクトと、該屋根裏ダクトに接続され、屋根裏空間に吸込グリルを備えた屋根裏用吸込ダクト及び屋内の天井に吸込グリルを備えた屋内用吸込ダクトと、前記送風機から分岐され、家屋の壁面に沿って配管された補助暖房ダクトと、該補助暖房ダクトに接続された補助ボイラーとから構成されてなるものである。
【先行技術文献】
【特許文献】
【０００３】
【特許文献１】特開２００２−３０９８０２号公報
【発明の概要】
【発明が解決しようとする課題】
【０００４】
しかしながら、上記特許文献１の除雪装置においては、建造物の屋根に積もってしまう前の雪を除雪できるものの、屋根に積もった雪を除雪することはできなかった。
【０００５】
そこで、本発明は、建造物の屋根に積もった雪を除雪可能な除雪装置及び除雪システムを提供することを目的とする。
【課題を解決するための手段】
【０００６】
（１）  本発明の除雪装置は、建造物の屋根上に設置された複数の除雪部と、前記複数の除雪部の動力となるガスを、内部に装填したガス発生剤を燃焼することによって発生可能なガス発生部と、前記複数の除雪部のそれぞれと前記ガス発生部とを接続し、前記ガス発生部において発生したガスを前記複数の除雪部に伝達する伝達部と、を備えていることを特徴とする。
【０００７】
上記（１）の構成によれば、ガス発生剤を燃焼することによって推力のあるガスを発生させることができるので、建造物の屋根上の雪を除雪するための動力（エネルギ）を従来よりも得やすい。
【０００８】
（２）  上記（１）の除雪装置においては、前記除雪部は、少なくとも１つの一端を有しており、前記一端が開放又は閉塞され、他端に前記伝達部が接続されている中空の管を有しており、前記管に、前記ガス発生部において発生したガスを噴出する複数の噴出口が設けられていることが好ましい。
【０００９】
（３）  上記（２）の除雪装置においては、前記中空の管の少なくとも一部が、略Ｔ字型状の管であることが好ましい。
【００１０】
上記（２）又は（３）の構成によれば、高速のガス流によって、従来よりも容易に屋根上の雪を細かく粉砕して吹き飛ばすことができる。また、雪が細かく粉砕されるので、飛散しても安全である。
【００１１】
（４）  別の観点として、上記（１）の除雪装置においては、前記除雪部は、予め前記屋根上に敷設されたシートを巻き取るシート巻取部を有しており、前記シート巻取部が、前記シートを巻取方向へ回転することによって巻き取り可能な巻取軸と、複数の回転歯が設けられ、所定方向へ回転することで前記巻取軸を巻取方向へ回転させることが可能な回転部材と、複数の移動歯が設けられ、前記ガス発生部において発生したガスの圧力を利用することによって前記回転部材側へ移動することで、前記移動歯が前記回転歯に噛合されて前記回転部材を所定方向へ回転させる移動部材と、を有しているものであってもよい。
【００１２】
上記（４）の構成によれば、従来よりも容易に屋根斜面上の雪を滑り落として除雪することができる。
【００１３】
（５）  上記（１）〜（４）の除雪装置においては、前記除雪部に沿って前記除雪部の上部に設けられ、雪の滑り落ちを止める雪止め部を有していることが好ましい。
【００１４】
上記（５）の構成によれば、除雪を段階的に行うことが可能である。例えば、屋根上の最も下の除雪部から作動させて、一部ずつ除雪することも可能である。
【００１５】
（６）  上記（５）の除雪装置においては、上記（２）に記載の前記除雪部の噴出口が、前記雪止め部と反対側の方向且つ前記屋根表面以外の方向にガスを噴出するように設けられているものであってもよい。
【００１６】
上記（６）の構成によれば、除雪部の噴出口から噴出したガスによって屋根が損傷することを防止することができる。
【００１７】
（７）  上記（１）〜（６）の除雪装置においては、前記ガス発生部が、前記ガス発生剤を装填可能なガス発生剤装填室を有しており、前記ガス発生剤装填室におけるガス発生剤の燃焼後に、他のガス発生剤を再度装填可能なものであることが好ましい。
【００１８】
（８）  上記（７）の除雪装置においては、前記ガス発生剤装填室が、前記ガス発生剤を装填したカートリッジを装入可能なものであることがさらに好ましい。
【００１９】
上記（７）又は（８）の構成によれば、何度も容易に再利用することができる。特に、ガス発生剤装填室にカートリッジを装入することは容易であるので利用しやすい。
【００２０】
（９）  本発明の除雪システムは、上記（１）〜（８）の除雪装置と、前記屋根の積雪量を検知可能なセンサ部と、前記センサ部で得た積雪量の検知情報を受信可能であり、前記検知情報を基に前記ガス発生部に電力を供給し、作動させることが可能な制御部と、を備えていることを特徴とする。
【００２１】
上記（９）の構成によれば、一定量の積雪が検知された際、自動的に除雪することができる。
【図面の簡単な説明】
【００２２】
【図１】本発明の第１実施形態に係る除雪装置を示す概略構成図であって、一部透視図である
【図２】図１に示した除雪装置のうちの１つを示す斜視概略構成図である。
【図３】図２に示した除雪装置の噴出口付近の断面図である。
【図４】本発明の第２実施形態に係る除雪装置を示す斜視概略構成図である。
【図５】図４に示した除雪装置の除雪部の動作を説明するための断面図であって、（ａ）が初期状態を示す図、（ｂ）が動作後の状態を示す図である。
【図６】図４に示した除雪装置の除雪部がシートを巻き取る様子を示した断面図である。
【図７】本発明の変形例に係る除雪装置の除雪部を説明するための図である。
【図８】本発明の除雪装置を用いた除雪システムの構成を示すブロック図である。
【発明を実施するための形態】
【００２３】
＜第１実施形態＞
以下、図１〜図３を参照して、本発明の第１実施形態に係る除雪装置について説明する。なお、図１の建造物１の中央から左側には、本発明の実施形態に係る除雪装置１００を示し、図１の建造物１の中央から右側（建造物１の右下部付近が透視図となっている。）には、本発明の実施形態に係る除雪装置２００を示している。また、図２は、説明の便宜のため、除雪装置１００のみを示している。
【００２４】
図１に示すように、建造物１には、室外に設けられた除雪装置１００と、一部が屋内に設けられた除雪装置２００とが設けられている。
【００２５】
（除雪装置１００の構成）
除雪装置１００は、図１及び図２に示すように、建造物１室外に設けられたガス発生部１１と、伝達部１２（１２ａ、１２ｂ、１２ｃ）と、除雪部１３（１３ａ、１３ｂ、１３ｃ）と、雪止め部１４（１４ａ、１４ｂ、１４ｃ）と、を備えている。
【００２６】
ガス発生部１１の内部には、ガス発生剤を装填可能なガス発生剤装填室（図示せず）を有しており、予め装填しておいたガス発生剤装填室におけるガス発生剤が燃焼した後に、他のガス発生剤を再度装填可能なものとなっている。具体的には、例えば、ガス発生剤装填室は、ガス発生剤を装填した金属製のカートリッジを装入可能なものとなっており、該カートリッジを入れ替えるだけで何度もガスの発生に使用することができる。なお、ガス発生剤は、ガス発生部１１内の点火器（図示せず）が作動することによって生じた熱粒子によって着火され、燃焼することによってガスを発生させる薬剤である。ガス発生剤としては、非アジド系ガス発生剤を用いることが好ましく、一般に燃料と酸化剤と添加剤とを含む成形体としてガス発生剤が形成される。燃料としては、たとえばトリアゾール誘導体、テトラゾール誘導体、グアニジン誘導体、アゾジカルボンアミド誘導体、ヒドラジン誘導体等又はこれらの組み合わせが利用される。具体的には、たとえばニトログアニジン、硝酸グアニジン、シアノグアニジン、５−アミノテトラゾール等が好適に利用される。また、酸化剤としては、たとえば塩基性硝酸銅等の塩基性硝酸塩、過塩素酸アンモニウム、過塩素酸カリウム等の過塩素酸塩、又は、アルカリ金属、アルカリ土類金属、遷移金属、アンモニアから選ばれたカチオンを含む硝酸塩等が利用される。硝酸塩としては、たとえば硝酸ナトリウム、硝酸カリウム等が好適に利用される。また、添加剤としては、バインダ、スラグ形成剤、燃焼調整剤等が挙げられる。バインダとしては、たとえばカルボキシメチルセルロースの金属塩、ステアリン酸塩等の有機バインダ、又は、合成ヒドロキシタルサイト、酸性白土等の無機バインダが好適に利用可能である。スラグ形成剤としては窒化珪素、シリカ、酸性白土等が好適に利用可能である。また、燃焼調整剤としては、金属酸化物、フェロシリコン、活性炭、グラファイト等が好適に利用可能である。
【００２７】
また、ガス発生剤の成形体の形状には、顆粒状、ペレット状、円柱状等の粒状のもの、ディスク状のものなど様々な形状のものがある。また、円柱状のものでは、成形体内部に貫通孔を有する有孔状（たとえば単孔筒形状又は多孔筒形状等）の成形体も利用される。また、ガス発生剤の形状の他にもガス発生剤の線燃焼速度、圧力指数などを考慮に入れて成形体のサイズ及び充填量を適宜選択することが好ましい。特に、除雪装置１００の作動時に、後述する伝達部１２の内圧が４．４ＭＰａ程度になるように、ガス発生剤を調整することが好ましい。これにより、後述する噴出口１５から噴出されるガスによって、噴出口１５の前に存在する５０ｃｍ×５０ｃｍ×２０ｃｍの空間内に積もった雪を細かく砕いて吹き飛ばすことが可能である。
【００２８】
伝達部１２（１２ａ、１２ｂ、１２ｃ）は、除雪部１３ａ、１３ｂ、１３ｃのそれぞれとガス発生部１１とを接続し、ガス発生部１１において発生したガスを除雪部１３ａ、１３ｂ、１３ｃに伝達（送出）する管状のダクトである。
【００２９】
除雪部１３（１３ａ、１３ｂ、１３ｃ）は、一端が閉塞され、他端に伝達部１２が接続されている中空の管であり、途中に噴出口１５（１５ａ、１５ｂ、１５ｃ）が複数設けられている。噴出口１５は、図３に示したように、雪止め部１４と反対側の方向且つ屋根２ａ表面以外の方向（図３中の太線矢印参照）にガスを噴出するように設けられている。なお、一変形例として、除雪部１３の一端は閉塞されていなくてもよい。また、除雪部１３の一端に別の伝達部が接続されていてもよい。
【００３０】
雪止め部１４（１４ａ、１４ｂ、１４ｃ）は、除雪部１３に沿って除雪部１３の上部に設けられ、雪１６ｂの滑り落ちを止めることができるようになっている。
【００３１】
（除雪装置１００の主な特徴）
除雪装置１００によれば、ガス発生剤を燃焼することによって推力のあるガスを発生させることができるので、建造物１の屋根２ａ、２ｂ上の雪を除雪するための動力（エネルギ）としてのガスの推力を従来よりも得やすい。
【００３２】
また、除雪装置１００によれば、高速のガス流によって、従来よりも容易に建造物１の屋根２ａ上の雪１６ａを細かく粉砕して吹き飛ばすことができる。また、雪１６ａが細かく粉砕されるので、飛散しても安全である。
【００３３】
また、雪止め部１４によって雪の滑り落ちを止めているので、除雪を段階的に行うことが可能である。例えば、まず、ガス発生部１１からのガスの供給を伝達部１２ａのみとし、屋根２ａ上の最も下の除雪部１３ａから作動させて、除雪部１３ａ下部に積もった雪１６ａを除雪する。次に、ガス発生部１１からのガスの供給を伝達部１２ｂのみとし、除雪部１３ｂを作動させ、除雪部１３ｂ下部に積もった雪を除雪する。最後に、ガス発生部１１からのガスの供給を伝達部１２ｃのみとし、除雪部１３ｃを作動させ、除雪部１３ｃ下部に積もった雪を除雪する。なお、当然ではあるが、除雪部１３ａ、１３ｂ、１３ｃを同時に作動させることも可能である。
【００３４】
また、噴出口１５は、図３に示したように、雪止め部１４と反対側の方向且つ屋根２ａ表面以外の方向（図３中の太線矢印参照）にガスを噴出するように設けられているので、噴出口１５から噴出されるガスによって、積もった雪１６ａを効率よく吹き飛ばすことができるようになっている。また、直接、屋根２ａにガスが衝突しないので、屋根２ａを損傷させることがない。
【００３５】
また、ガス発生部１１が、ガス発生剤を装填、又は、ガス発生剤を装填したカートリッジを装入することが可能なガス発生剤装填室を有しているので、何度も容易に再利用することができる除雪装置１００を提供できる。特に、ガス発生剤装填室にカートリッジを装入することは容易であるので、何度も使用できる除雪装置１００とすることが可能である。
【００３６】
（除雪装置２００の構成）
除雪装置２００は、図１及び図２に示すように、ガス発生部２１と、伝達部２２（２２ａ、２２ｂ、２２ｃ）と、除雪部２３（２３ａ、２３ｂ、２３ｃ）と、雪止め部２４（２４ａ、２４ｂ、２４ｃ）と、を備えている。なお、除雪装置２００は、除雪装置１００とほぼ同様のものであるが、図１に示したように、ガス発生部２１の一部が建造物１の室内に設けられている点で除雪装置１００と異なっている。なお、符号２１、２２、２３、２４の部位は、順に、上記符号１１、１２、１３、１４の部位と同様のものであるので、説明を省略することがある。
【００３７】
ガス発生部２１は、建造物１の内部に設けられている床４上に載置され、一部が壁３から突出するように設けられている。このガス発生部２１の突出した部分には、伝達部２２（２２ａ、２２ｂ、２２ｃ）が接続されている。なお、ガス発生部２１は、建造物１の室内において、ガス発生剤を装填することが可能である。
【００３８】
（除雪装置２００の主な特徴）
除雪装置２００は、建造物１の室内において、ガス発生剤を装填することが可能であるので、利用者はわざわざ外出することなく、除雪装置２００を使用することが可能である。
【００３９】
＜第２実施形態＞
次に、図４〜図６を用いて、第２実施形態に係る除雪装置について説明する。なお、第１実施形態と同様の部位は、説明を省略することがある。
【００４０】
除雪装置３００は、図４に示すように、ガス発生部３１と、伝達部３２（３２ａ、３２ｂ、３２ｃ）と、除雪部３３（３３ａ、３３ｂ、３３ｃ）と、雪止め部３４（３４ａ、３４ｂ、３４ｃ）と、を備えている。
【００４１】
ガス発生部３１は、建造物４１の内部に設けられている床４４上に載置され、一部が壁４３から突出するように設けられている。このガス発生部３１の突出した部分には、伝達部３２（３２ａ、３２ｂ、３２ｃ）が接続されている。なお、ガス発生部３１は、建造物４１の室内において、ガス発生剤を装填することが可能である。
【００４２】
伝達部３２（３２ａ、３２ｂ、３２ｃ）は、除雪部３３ａ、３３ｂ、３３ｃのそれぞれとガス発生部３１とを接続し、ガス発生部３１において発生したガスを除雪部３３ａ、３３ｂ、３３ｃに伝達（送出）する管状のダクトである。
【００４３】
除雪部３３ａは、予め屋根４２上に敷設されたシート３５ａを巻き取るシート巻取部５１を有している。シート巻取部５１は、図５（ａ）、（ｂ）に示したように、シート３５ａを巻取方向へ回転することによって巻き取り可能な巻取軸３６と、複数の回転歯３６ａが設けられ、図５（ａ）に示した円弧矢印方向へ回転することで巻取軸３６を巻取方向へ回転させることが可能な回転部材３６ｂと、複数の移動歯３８ａが設けられ、ガス発生部３１において発生したガスの圧力を利用することによって回転部材３６ｂ側へ移動することで、移動歯３８ａが回転歯３６ａに噛合されて回転部材３６ｂを図５（ａ）に示した円弧矢印方向へ回転させる移動部材３８と、を備えている。ここで、シート３５ａの一端は、巻取軸３６に固定されており、巻取軸３６が回転すれば、巻取軸３６に巻き取られるようになっている。また、移動部材３８は、一端部が閉塞している筒部材３７内に摺動可能に挿入されている。また、筒部材３７は、図５（ａ）に示したように、内部に空間３７ａを有しており、この空間３７ａは伝達部３２ａと連通している。なお、除雪部３３ｂ、３３ｃは、除雪部３３ａと同様の構成であるので、説明を省略する。
【００４４】
雪止め部３４（３４ａ、３４ｂ、３４ｃ）は、除雪部３３に沿って除雪部３３の上部に設けられ、雪１６ｂの滑り落ちを止めることができるようになっている。また、雪止め部３４（３４ａ、３４ｂ、３４ｃ）の下部には、シート３５（３５ａ、３５ｂ、３５ｃ）を通過させることができるように、隙間５２が設けられている（図６参照）。また、この隙間５２と回転部材３６ｂとの間には、シート３５（３５ａ、３５ｂ、３５ｃ）を巻き取りやすくするために、ローラ３９が設けられている。
【００４５】
（除雪装置３００の主な特徴）
除雪装置１００によれば、ガス発生剤を燃焼することによって推力のあるガスを発生させることができるので、建造物４１の屋根４２上の雪を除雪するための動力（エネルギ）としてのガスの推力を従来よりも得やすい。
【００４６】
また、雪止め部３４によって雪５０ｂの滑り落ちを止めているので、除雪を段階的に行うことが可能である。例えば、まず、シート巻取部５１が図５（ａ）に示した初期状態にある場合において、ガス発生部３１からのガスの供給を伝達部３２ａのみとし、屋根４２上の最も下の除雪部３３ａから作動させる。このとき、筒部材３７内の空間３７ａにガスが供給され、該ガスによって圧力が高まった空間３７ａは移動部材３８を図５（ａ）の白矢印方向に移動させる。その後、図５（ｂ）に示したように、移動部材３８の移動歯３８ａが回転部材３６ｂの回転歯と噛み合い、回転部材３６ｂを回転させるとともに巻取軸３６を回転させる。これにより、図６に示したように、雪止め部３４ａ下部の隙間５２、ローラ３９を順に介して、巻取軸３６にシート３５ａは巻き取られる。その結果、雪５０ａは屋根４２から滑り落ち、除雪できる。次に、同様に、ガス発生部３１からのガスの供給を伝達部３２ｂのみとし、除雪部３３ｂを作動させ、除雪部３３ｂによってシート３５ｂを巻き取り、除雪部３３ｂ下部に積もった雪を除雪する。最後に、ガス発生部３１からのガスの供給を伝達部３２ｃのみとし、除雪部３３ｃを作動させ、除雪部３３ｃによってシート３５ｃを巻き取り、除雪部３３ｃ下部に積もった雪を除雪する。なお、当然ではあるが、除雪部３３ａ、３３ｂ、３３ｃを同時に作動させることも可能である。
【００４７】
以上、本発明の実施形態について図面に基づいて説明したが、具体的な構成は、これらの実施形態に限定されるものではないと考えられるべきである。本発明の範囲は、上記した実施形態の説明ではなく特許請求の範囲によって示され、さらに特許請求の範囲と均等の意味及び範囲内でのすべての変更が含まれる。以下、変形例について説明する。
【００４８】
例えば、上記各実施形態及び変形例における除雪部の管は、並行配置されているものであるが、これに限られず、ランダムに（不並行に）配置されたものであってもよい。
【００４９】
また、例えば、上記各実施形態及び変形例における除雪部の管は、蛇行しているものでもいいし、略Ｔ字型状のように枝分かれしているものを始めとして、様々に枝分かれしているようなものであってもよい。ここで、一例として、図７に示したように、第１実施形態の除雪部の代わりに用いることが可能な、略Ｔ字型状の中空の管の途中から複数本の管が枝分かれした形態の除雪部について説明する。具体的には、以下のとおりである。
【００５０】
除雪部６０〜６４は、屋根７０上に配置されている。除雪部６０は、一端が伝達部（図示せず）を介してガス発生部（図示せず）に接続されている管６０ａと、管６０ａの他端において左右に枝分かれしている管６０ｂ、６０ｃと、を有している。なお、管６０ｂ、６０ｃは、一端が管６０ａに連通するように接続されており、他端が閉塞している有底筒状の管である。除雪部６１、６２は、管６０ａの途中で左右に枝分かれしており、管６０ｂ、６０ｃと同様、一端が管６０ａに連通するように接続されており、他端が閉塞している有底筒状の管である。除雪部６３、６４は、管６０ａと接続されている除雪部６１、６２よりも下方の途中で左右に枝分かれしており、除雪部６１、６２と同様の管である。また、除雪部６０の管６０ｂ、６０ｃ、除雪部６１〜６４のそれぞれには、一定間隔で、ガスを噴出可能な噴出口６５が複数設けられている。また、除雪部６０の管６０ａ、６０ｂ、６０ｃで、略Ｔ字型状の管を形成している。その他の点は、第１実施形態と同様であるので、説明を省略する。
【００５１】
このような構成の除雪部６０〜６４を有した除雪装置でも、上記各実施形態及び変形例と同様の作用効果を奏することができる。
【００５２】
また、別の変形例として、例えば、第１実施形態における除雪装置１００を用いた除雪システムとしてもよい。具体的には、図８に示したように、ガス発生部１１に接続されたマイコン１０１と、マイコン１０１に接続されたセンサ部１０２と、充電式バッテリ１０３と、を有した除雪システムとしてもよい。以下、各部位について説明する。
【００５３】
センサ部１０２は、（１）屋外に設けられており、赤外線ビームを利用して屋根に所定高さ（例えば２０ｃｍ（適宜設定可能））まで積雪したことを検知可能な赤外線センサ、又は、（２）屋根の所定箇所（例えば、噴出口１５の前の屋根における５０ｃｍ×５０ｃｍ（適宜設定可能）の正方形部分）の積雪重量を計測し所定重量を超えたことを検知可能な重量センサ、を有しているものである。このセンサ部１０２は、一定量の積雪を検知すると、積雪検知情報をマイコン１０１へ送信するようになっている。
【００５４】
マイコン１０１は、動作制御部１０１ａを有している。動作制御部１０１ａは、センサ部１０２から受信した積雪検知情報を受信すると、リチウムイオン電池などの充電式バッテリ１０３からの電力をガス発生部１１に供給し作動させ、ガスを発生させることにより、伝達部１２を介して除雪部１３の噴出口１５からガスを噴出させる。
【００５５】
このように、図８に示した除雪システムによれば、一定量の積雪が検知された際、自動的に除雪することができる。なお、ここでは、除雪装置１００を用いた除雪システムとしたが、これに限られず、例えば、除雪装置２００又は除雪装置３００を用いた除雪システムとしてもよい。
【符号の説明】
【００５６】
１、４１    建造物
２ａ、２ｂ、４２    屋根
３、４３    壁
４、４４    床
１１、２１、３１    ガス発生部
１２、１２ａ、１２ｂ、１２ｃ、２２、２２ａ、２２ｂ、２２ｃ、３２、３２ａ、３２ｂ、３２ｃ    伝達部
１３、１３ａ、１３ｂ、１３ｃ、２３、２３ａ、２３ｂ、２３ｃ、３３、３３ａ、３３ｂ、３３ｃ、６０、６１、６２、６３、６４    除雪部
１４、１４ａ、１４ｂ、１４ｃ、２４、２４ａ、２４ｂ、２４ｃ、３４、３４ａ、３４ｂ、３４ｃ    雪止め部
１５    噴出口
１６ａ、１６ｂ、５０ａ、５０ｂ    雪
３５、３５ａ、３５ｂ、３５ｃ    シート
３６    巻取軸
３６ａ    回転歯
３６ｂ    回転部材
３７    筒部材
３７ａ    空間
３８    移動部材
３８ａ    移動歯
３９    ローラ
５１    シート巻取部
５２    隙間
６０ａ、６０ｂ、６０ｃ    管
１００、２００、３００    除雪装置
【図１】
2017089249.tif 000003
【図２】
2017089249.tif 000004
【図３】
2017089249.tif 000005
【図４】
2017089249.tif 000006
【図５】
2017089249.tif 000007
【図６】
2017089249.tif 000008
【図７】
2017089249.tif 000009
【図８】
2017089249.tif 000010